(57)【要約】      （修正有）【課題】心電図モニタ送信機を患者に装着した際に、患者の首周囲に荷重が加わるのを良好に抑制することのできる心電図モニタ送信機の装着方法、及び、その装着方法を実現するための下衣を提供する。【解決手段】布によって構成され、着用者の胴部が挿通される第１筒状部と着用者の脚部が挿通される第２筒状部とを備えた下衣本体の、第１筒状部は、第１筒状部を着用者の胴部外周に圧接させる帯状の弾性体７を備える。着用者に着用されたときに着用者の下腹部と対向する下衣本体６の面には、心電図モニタ送信機Ｓ０を挿入可能なポケット１０が設けられている。そのポケットは、心電図モニタ送信機が挿入されたとき、心電図モニタ送信機の一部分が前記ポケットからはみ出し、かつ、当該はみ出した一部分が弾性体に内周側から重畳する大きさに設計されている。【選択図】図２
2020022682.tif 000002
【特許請求の範囲】
【請求項１】
布によって構成され、着用者の胴部が挿通される第１筒状部と、前記着用者の脚部が挿通される第２筒状部と、を備えた下衣本体と、
前記第１筒状部における、前記第２筒状部とは反対側の開口部としての腹部開口部に沿って設けられ、前記第１筒状部を前記着用者の胴部外周に圧接させる帯状の弾性体と、
前記着用者に着用されたときに前記着用者の下腹部と対向する前記下衣本体の面に設けられ、心電図モニタ送信機を挿入可能なポケットと、
を備え、
前記ポケットは、前記弾性体よりも前記第２筒状部側に設けられ、かつ、前記弾性体側の辺が開口し、
前記ポケットの大きさは、前記弾性体側の開口した辺から前記ポケットに前記心電図モニタ送信機が挿入されたとき、前記心電図モニタ送信機の一部分が前記ポケットからはみ出し、かつ、当該はみ出した一部分が前記弾性体に内周側から重畳する大きさに設計された下衣。
【請求項２】
請求項１に記載の下衣であって、
前記ポケットは、
布又は網を、前記下腹部と対向する前記下衣本体の面に縫着することによって形成されている下衣。
【請求項３】
請求項２に記載の下衣であって、
前記下衣本体は、前記着用者の陰茎を挿通可能な開口部としての陰茎開口部を、
更に備え、
前記縫着は、前記布又は網の前記陰茎開口部と重畳する箇所、及び、前記布又は網の前記弾性体側の辺、以外の部分になされている下衣。
【請求項４】
前記着用者に請求項１〜３のいずれか１項に記載の下衣を着用させ、
当該着用された前記下衣における前記ポケットに前記心電図モニタ送信機を挿入し、
前記心電図モニタ送信機の一部分を、前記着用者の下腹部又は前記着用者が着用した下着に、前記弾性体を利用して圧接する心電図モニタ送信機の装着方法。
【請求項５】
請求項４に記載の心電図モニタ送信機の装着方法であって、
前記心電図モニタ送信機を前記ポケットに挿入する際、前記心電図モニタ送信機におけるリード線の接続部が前記ポケットからはみ出すように、前記心電図モニタ送信機を挿入する心電図モニタ送信機の装着方法。
【発明の詳細な説明】
【技術分野】
【０００１】
本開示は、心電図モニタ送信機を装着可能な下衣、及び、その下衣を用いて当該下衣の着用者に心電図モニタ送信機を装着する心電図モニタ送信機の装着方法に関する。
【背景技術】
【０００２】
従来、病院では、不整脈等を検知するため、患者の心電図のモニタリングを常時実行する場合がある。その場合、患者が病院内を自由に移動できるように、患者の体から取得される心電図に係る電気信号を、電波を介して送信する心電図モニタ送信機を、患者に携帯させることがある。
【０００３】
心電図モニタ送信機を患者に携帯させる方法としては、ストラップ等を介して心電図モニタ送信機を患者の首にかけて装着する方法が知られている。しかしながら、心電図モニタ送信機を患者の首にかけて装着すると、患者の首に負担がかかり、当該患者が肩こり等を訴える場合がある。また、心電図モニタ送信機を首にかけるだけでは、心電図モニタ送信機の位置が患者の体に対して固定されないため、患者が寝返りを打つときに心電図モニタ送信機が邪魔になる場合がある。
【０００４】
そこで、例えば特許文献１に開示されたように、心電図モニタ送信機を収容する収容部（すなわち、ポケット）を上着に設け、更に、その収容部の開口をホック等により開閉する開閉部を設けることが提案されている。心電図モニタ送信機を収容部に収容して、開口を開閉部により閉鎖した上着を、患者に着せれば、心電図モニタ送信機を直接首にかける場合に比べて患者の首にかかる負荷を幾分低減した状態で、心電図モニタ送信機を患者に装着することができる。
【先行技術文献】
【特許文献】
【０００５】
【特許文献１】特開２０１４−２１７４９４号公報
【発明の概要】
【発明が解決しようとする課題】
【０００６】
しかしながら、特許文献１の方法では、心電図モニタ送信機の自重の全体が上着にかかり、その自重は上着を介して患者の首周囲にかかる。このため、患者の首周囲に荷重が加わるのを抑制して患者が肩こり等を訴えるのを抑制するためには、更なる改良の余地があった。
【０００７】
本開示の１つの局面は、心電図モニタ送信機を患者に装着した際に、患者の首周囲に荷重が加わるのを良好に抑制することのできる心電図モニタ送信機の装着方法、及び、その装着方法を実現するための下衣を提供することにある。
【課題を解決するための手段】
【０００８】
本開示の一態様による下衣は、布によって構成され、着用者の胴部が挿通される第１筒状部と、前記着用者の脚部が挿通される第２筒状部と、を備えた下衣本体と、前記第１筒状部における、前記第２筒状部とは反対側の開口部としての腹部開口部に沿って設けられ、前記第１筒状部を前記着用者の胴部外周に圧接させる帯状の弾性体と、前記着用者に着用されたときに前記着用者の下腹部と対向する前記下衣本体の面に設けられ、心電図モニタ送信機を挿入可能なポケットと、を備え、前記ポケットは、前記弾性体よりも前記第２筒状部側に設けられ、かつ、前記弾性体側の辺が開口し、前記ポケットの大きさは、当該ポケットに前記弾性体側の開口した辺から前記心電図モニタ送信機が挿入されたとき、前記心電図モニタ送信機の一部分が前記ポケットからはみ出し、かつ、当該はみ出した一部分が前記弾性体に内周側から重畳する大きさに設計されている。
【０００９】
このように構成された下衣は、着用者（例えば患者）に着用される際、下衣本体における第１筒状部に着用者の胴部が挿通され、下衣本体における第２筒状部に着用者の脚部が挿通される。また、第１筒状部における、第２筒状部とは反対側の開口部としての腹部開口部に沿って設けられた帯状の弾性体は、第１筒状部を着用者の胴部外周に圧接させる。この圧接により、下衣が着用者の脚部方向にずり落ちるのが抑制される。
【００１０】
また、着用者に着用されたときに着用者の下腹部と対向する下衣本体の面には、心電図モニタ送信機を挿入可能なポケットが設けられている。このポケットは、弾性体よりも第２筒状部側に設けられ、かつ、弾性体側の辺が開口する。また、ポケットの大きさは、弾性体側の開口した辺から当該ポケットに心電図モニタ送信機が挿入されたとき、心電図モニタ送信機の一部分が当該ポケットからはみ出し、かつ、当該はみ出した一部分が弾性体に内周側から重畳する大きさに設計されている。すなわち、ポケットの奥まで心電図モニタ送信機を挿入しても、当該心電図モニタ送信機の一部分がポケットからはみ出し、当該はみ出した一部分は弾性体によって着用者の下腹部方向に押圧される。
【００１１】
このように、本開示の下衣は、心電図モニタ送信機を挿入可能なポケットを備えているので、このポケットに心電図モニタ送信機を挿入することによって着用者としての患者に心電図モニタ送信機を装着すれば、患者の首周囲には殆ど荷重が加わらない。また、当該ポケットは、患者の下腹部前方に内ポケットとして設けられるので、患者が寝返りを打つ際に心電図モニタ送信機が邪魔になることも、良好に抑制される。更に、心電図モニタ送信機の自重全体がポケットに加わるのではなく、心電図モニタ送信機が弾性体と患者の下腹部との間に挟まれることにより、前記自重の一部は摩擦力として患者の下腹部に加わる。そのため、心電図モニタ送信機から加わる荷重は一層良好に分散され、患者が不快を感じるのを、一層良好に抑制することができる。また、心電図モニタ送信機が弾性体と患者の下腹部との間に挟まれることにより、心電図モニタ送信機の落下を良好に抑制することができる。
【００１２】
なお、本開示において、布（ぬの）とは複数の繊維を薄く広い板状に加工したものを指す。すなわち、布は、織物、編み物（例えばメリヤス生地）、レース、フェルト、不織布のいずれであってもよく、その他の布であってもよい。
【００１３】
なお、本開示の下衣において、前記ポケットは、布又は網を、前記下腹部と対向する前記下衣本体の面に縫着することによって形成されてもよい。その場合、既存の下衣に布又は網を逢着することによって、容易に本開示の下衣を得ることができる。特に、網を逢着することによってポケットを形成した場合、網は布よりも破れにくいので、当該ポケットの強度を良好に確保することができる。
【００１４】
また、ポケットが前述のような縫着によって形成される場合、前記下衣本体は、前記着用者の陰茎を挿通可能な開口部としての陰茎開口部を、更に備え、前記縫着は、前記布又は網の前記陰茎開口部と重畳する箇所、及び、前記布又は網の前記弾性体側の辺、以外の部分になされてもよい。縫着が布又は網の弾性体側の辺以外の部分になされる（すなわち、布又は網の弾性体側の辺が、縫着がなされない非縫着部とされる）ことにより、ポケットにおける弾性体側の辺が開口する。また、縫着が陰茎開口部と重畳する箇所以外の部分になされる（すなわち、陰茎開口部と重畳する箇所が、縫着がなされない非縫着部とされる）ことにより、縫着によって陰茎開口部の開放が阻害されるのが抑制され、陰茎開口部へ患者が陰茎を挿入することが容易になる。
【００１５】
また、本開示の一態様による心電図モニタ送信機の装着方法は、前記着用者に前記いずれかの下衣を着用させ、当該着用された前記下衣における前記ポケットに前記心電図モニタ送信機を挿入し、前記心電図モニタ送信機の一部分を、前記着用者の下腹部又は当該着用者が着用した下着に、前記弾性体を利用して圧接する方法である。
【００１６】
前述のように、前記いずれかの下衣は、着用者（例えば患者）に着用される際、下衣本体における第１筒状部に着用者の胴部が挿通され、下衣本体における第２筒状部に着用者の脚部が挿通される。また、第１筒状部における、第２筒状部とは反対側の開口部としての腹部開口部に沿って設けられた帯状の弾性体は、第１筒状部を着用者の胴部外周に圧接させる。この圧接により、下衣が着用者の脚部方向にずり落ちるのが抑制される。
【００１７】
また、着用者に着用されたときに着用者の下腹部と対向する下衣本体の面には、心電図モニタ送信機を挿入可能なポケットが設けられている。このポケットは、弾性体よりも第２筒状部側に設けられ、かつ、弾性体側の辺が開口する。また、ポケットの大きさは、弾性体側の開口した辺から当該ポケットに心電図モニタ送信機が挿入されたとき、心電図モニタ送信機の一部分が当該ポケットからはみ出し、かつ、当該はみ出した一部分が弾性体に内周側から重畳する大きさに設計されている。すなわち、ポケットの奥まで心電図モニタ送信機を挿入しても、当該心電図モニタ送信機の一部分がポケットからはみ出し、当該はみ出した一部分は弾性体によって着用者の下腹部方向に押圧される。
【００１８】
本開示の心電図モニタ送信機の装着方法では、下衣のポケットに心電図モニタ送信機を挿入することによって着用者としての患者に心電図モニタ送信機を装着している。このため、患者の首周囲には心電図モニタ送信機を装着したことによる荷重が殆ど加わらない。また、当該ポケットは、患者の下腹部前方に内ポケットとして設けられるので、患者が寝返りを打つ際に心電図モニタ送信機が邪魔になることも、良好に抑制される。更に、心電図モニタ送信機の自重全体がポケットに加わるのではなく、心電図モニタ送信機が患者の下腹部又は当該患者が着用した下着に弾性体を利用して圧接されることにより、前記自重の一部は摩擦力として患者の下腹部に加わる。そのため、心電図モニタ送信機から加わる荷重は一層良好に分散され、患者が不快を感じるのを、一層良好に抑制することができる。また、心電図モニタ送信機が患者の下腹部又は下着に圧接されることにより、心電図モニタ送信機の落下を良好に抑制することができる。
【００１９】
なお、本開示の心電図モニタ送信機の装着方法において、前記心電図モニタ送信機を前記ポケットに挿入する際、前記心電図モニタ送信機におけるリード線の接続部が前記ポケットからはみ出すように、前記心電図モニタ送信機を挿入してもよい。その場合、リード線がポケットに挿入されないので、リード線と心電図モニタ送信機との接続状態を容易に確認することができる。
【図面の簡単な説明】
【００２０】
【図１】患者に対する下衣及び心電図モニタ送信機の装着状態を表す説明図である。
【図２】前記下衣におけるポケットの構成を表す説明図である。
【図３】前記ポケットの変形例の構成を表す説明図である。
【発明を実施するための形態】
【００２１】
以下に説明する「発明の実施形態」は実施形態の一例を示すものである。つまり、特許請求の範囲に記載された発明特定事項等は、下記の実施形態に示された具体的手段や構造等に限定されるものではない。
【００２２】
なお、本開示では、下衣の着用者から見て右方を右方、左方を左方と定義し、着用者の頭部方向を上方、着用者の脚部方向を下方と定義する。但し、これらの各方向は、下衣を構成する各部及び着用者の各部の、相対的な位置関係を簡潔に説明するために便宜上規定した方向にすぎない。下衣が使用されるに当たって、下衣及び当該下衣の着用者がどのような方向に向けられるかは任意である。例えば、前記着用者が横臥したり逆立ちしたりしてもよく、前記定義された上下方向が重力方向に対応しない状態で下衣が使用されても構わない。
【００２３】
［１．実施形態］
［１−１．下衣の構成］
本実施形態の下衣１は、着用者Ｈの胴部が挿通される第１筒状部３と、着用者Ｈの左右の脚部が挿通される一対の第２筒状部４，５と、を備えるように、メリヤス生地等の布によって構成された下衣本体６を有している。また、第１筒状部３における、第２筒状部４，５とは反対側の（すなわち、着用者Ｈの頭部Ｈ１側の）開口部としての腹部開口部３Ａに沿って、第１筒状部３を着用者Ｈの胴部外周に圧接させる帯状の弾性体７が設けられている。この弾性体７は、ゴム紐であってもよく、平ゴムであってもよく、その他の弾性体であってもよい。
【００２４】
より詳細には、図２に示すように、下衣本体６を構成する布の腹部開口部３Ａ側の端縁６Ａが折り線６Ｂで折り返されて縫い目Ｎ１により縫着されることにより、腹部開口部３Ａに沿った環状の筒状部が構成され、当該筒状部の中に弾性体７が収容されている。なお、図２は、着用者Ｈの下腹部前方から下衣１の内面を見た図である。また、下衣本体６を構成する左右の前身頃は、着用者Ｈの下腹部前方に対向する位置で重ね合わせられ、縫い目Ｎ２，Ｎ３，Ｎ４で縫い合わせられている。これにより、縫い目Ｎ２よりも下方に、着用者Ｈの陰茎（図示省略）を挿入可能な開口部としての陰茎開口部９が形成されている。縫い目Ｎ２は陰茎開口部９の上端で左右の前身頃を逢着する。縫い目Ｎ３は陰茎開口部９の左端側で左右の前身頃を逢着する。縫い目Ｎ４は陰茎開口部９の右端側で左右の前身頃を逢着する。なお、陰茎開口部９及びそれに係る縫い目の構成は、従来の各種下衣と同様であるので、ここでは詳述しない。
【００２５】
また、着用者Ｈに着用されたときに着用者Ｈの下腹部と対向する下衣本体６の面には、心電図モニタ送信機Ｓ０を挿入可能なポケット１０が設けられている。このポケット１０は、長方形のメッシュ１１（例えば、化学繊維製の網地：網の一例）を、下衣本体６における着用者Ｈの下腹部と対向する面に、縫い目Ｎ１１〜Ｎ１４で逢着することによって形成されている。
【００２６】
ここで、メッシュ１１は、一方の長辺が端縁６Ａに接触し、他の部分が端縁６Ａよりも下方（すなわち第２筒状部４，５側）に配設されるように、着用者Ｈの下腹部と対向する下衣本体６の面に重ねられている。なお、前記一方の長辺は、端縁６Ａと数ｍｍ間隔を開けて配置されてもよい。メッシュ１１の短辺は、心電図モニタ送信機Ｓ０の長尺方向の長さよりも短く構成されている。例えば、心電図モニタ送信機Ｓ０を直方体とみなした場合の当該心電図モニタ送信機Ｓ０における最も長い辺の長さ（すなわち、長尺方向の長さ）が１７０ｍｍで、その次に長い辺の長さが６０ｍｍである場合、メッシュ１１の長辺は１２０ｍｍで短辺は９０ｍｍとすることができる。縫い目Ｎ１１はメッシュ１１の一方の短辺に沿うように当該短辺のほぼ全長に亘って形成されている。縫い目Ｎ１２はメッシュ１１の他方の短辺に沿うように当該短辺のほぼ全長に亘って形成されている。
【００２７】
縫い目Ｎ１３は、縫い目Ｎ１１の下端から、メッシュ１１における下方の長辺に沿って当該長辺の中心方向に伸びている。縫い目Ｎ１４は、縫い目Ｎ１１の下端から、メッシュ１１における下方の長辺に沿って当該長辺の中心方向に伸びている。縫い目Ｎ１３と縫い目Ｎ１４との間には、メッシュ１１の縫着がなされていない箇所があり、当該箇所は、メッシュ１１が陰茎開口部９と重畳する箇所を包含している。例えば、メッシュ１１の長辺の長さが１２０ｍｍである場合に、縫い目Ｎ１３の長さを約４０ｍｍとし、縫い目Ｎ１４の長さを約４０ｍｍとし、縫い目Ｎ１３と縫い目Ｎ１４との間の長さを約４０ｍｍとすることができる。ポケット１０に挿入された心電図モニタ送信機Ｓ０を下腹部側から見ると、１７０ｍｍ×６０ｍｍの長方形状の外形を有するので、縫い目Ｎ１３と縫い目Ｎ１４との間に構成された長さ約４０ｍｍの非縫着部（すなわち、ポケット１０の底穴）から心電図モニタ送信機Ｓ０が脱落する可能性は低い。なお、前記例示した各寸法は、一例であり、異なる数値が採用されてもよい。例えば、各寸法はいずれも±２０％程度変更されてもよい。
【００２８】
また、メッシュ１１の各短辺側端部１１Ａ，１１Ｂは、図３に示すように、下衣本体６側に折り曲げられた状態で、メッシュ１１が下衣本体６に縫着されてもよい。すなわち、いわゆる返し縫がなされてもよい。
【００２９】
［１−２．心電図モニタ送信機Ｓ０の装着方法］
このように構成された下衣１では、患者としての着用者Ｈの心電図に係るモニタリングを常時実行する場合、ポケット１０に心電図モニタ送信機Ｓ０を挿入して、当該心電図モニタ送信機Ｓ０を着用者Ｈに装着することができる。なお、心電図モニタ送信機Ｓ０は、直接（すなわち、裸で）ポケット１０に挿入されてもよく、従来のように首からぶら下げるストラップに取り付けられた状態で、ポケット１０に挿入されてもよい。
【００３０】
心電図モニタ送信機Ｓ０としては、例えば、図２に実線で示すように、表面に表示部Ｓ１１と操作ボタンＳ１２とを備え、長手方向の一端にコネクタＳ１３，Ｓ１４（リード線の接続部の一例）を備えたものを使用することができる。コネクタＳ１３又はＳ１４には、図１に示すようなリード線Ｌ１〜Ｌ５が接続される。その場合、図２に矢印Ａで示すように、コネクタＳ１３，Ｓ１４がポケットからはみ出すように、心電図モニタ送信機Ｓ０におけるコネクタＳ１３，Ｓ１４側を上に向けて、心電図モニタ送信機Ｓ０がポケット１０に挿入されるのが望ましい。
【００３１】
図１に示すように、リード線Ｌ１は、着用者Ｈの右乳首Ｈ２の上方における左右方向中央寄りに装着された電極Ｓ１が検知した電気信号を、心電図モニタ送信機Ｓ０に送る。リード線Ｌ２は、着用者Ｈの左乳首Ｈ３の上方における左右方向中央寄りに装着された電極Ｓ２が検知した電気信号を、心電図モニタ送信機Ｓ０に送る。リード線Ｌ３は、着用者Ｈの右乳首Ｈ２と左乳首Ｈ３との中間より少し下方に装着された電極Ｓ３が検知した電気信号を、心電図モニタ送信機Ｓ０に送る。リード線Ｌ４は、着用者Ｈの右乳首Ｈ２の下方に装着された電極Ｓ４が検知した電気信号を、心電図モニタ送信機Ｓ０に送る。リード線Ｌ５は、着用者Ｈの左乳首Ｈ３の下方に装着された電極Ｓ５が検知した電気信号を、心電図モニタ送信機Ｓ０に送る。
【００３２】
ポケット１０に挿入されることによって患者としての着用者Ｈに装着されたモニタ送信機Ｓ０は、このようにリード線Ｌ１〜Ｌ５を介して送られた電気信号を、電波を介して病院内のアンテナ等に向けて送信する。
【００３３】
［１−４．効果］
以上詳述した実施形態によれば、以下の効果を奏する。
（１Ａ）本実施形態における下衣１は、心電図モニタ送信機Ｓ０を挿入可能なポケット１０を備えているので、このポケット１０に心電図モニタ送信機Ｓ０を挿入することによって着用者Ｈとしての患者に心電図モニタ送信機Ｓ０を装着すれば、患者の首周囲には殆ど荷重が加わらない。また、ポケット１０は、患者の下腹部前方に内ポケットとして設けられるので、患者が寝返りを打つ際に心電図モニタ送信機Ｓ０が邪魔になることも、良好に抑制される。本実施形態では、ポケット１０の大きさが前述のように設計されているので、ポケット１０の奥まで心電図モニタ送信機Ｓ０を挿入しても、当該心電図モニタ送信機Ｓ０の一部分がポケット１０からはみ出し、当該はみ出した一部分は弾性体７によって着用者Ｈの下腹部方向に押圧される。
【００３４】
（１Ｂ）下衣１では、心電図モニタ送信機Ｓ０の自重全体がポケット１０に加わるのではなく、心電図モニタ送信機Ｓ０が弾性体７と着用者Ｈの下腹部との間に挟まれることにより（すなわち、心電図モニタ送信機Ｓ０が着用者Ｈの下腹部又は着用者Ｈが着用した下着に弾性体７を利用して圧接されることにより）、前記自重の一部は摩擦力として着用者Ｈの下腹部に加わる。そのため、心電図モニタ送信機Ｓ０から加わる荷重は一層良好に分散され、患者としての着用者Ｈが不快を感じるのを一層良好に抑制することができる。また、心電図モニタ送信機Ｓ０が弾性体７と着用者Ｈの下腹部との間に挟まれることにより、心電図モニタ送信機Ｓ０の落下を良好に抑制することができる。
【００３５】
（１Ｃ）ポケット１０は、メッシュ１１を、前記下腹部と対向する下衣本体６の面に縫着することによって形成されている。このため、既存の下衣にメッシュを逢着することによって、容易に実施形態における下衣１を得ることができる。しかも、メッシュ１１は布よりも破れにくいので、ポケット１０の強度を良好に確保することができる。
【００３６】
（１Ｄ）また、前記縫着は、メッシュ１１の陰茎開口部９と重畳する箇所、及び、メッシュ１１の弾性体７側の辺、以外の部分になされている。縫着がメッシュ１１の弾性体７側の辺以外の部分になされる（すなわち、メッシュ１１の弾性体７側の辺が、縫着がなされない非縫着部とされる）ことにより、ポケット１０における弾性体７側の辺が開口する。また、縫着が陰茎開口部９と重畳する箇所以外の部分になされる（すなわち、メッシュ１１における陰茎開口部９と重畳する箇所が、縫着がなされない非縫着部とされる）ことにより、縫着によって陰茎開口部９の開放が阻害されるのが抑制され、陰茎開口部９へ患者が陰茎を挿入することが容易になる。
【００３７】
（１Ｅ）また、前述のように、心電図モニタ送信機Ｓ０をポケット１０に挿入する際、コネクタＳ１３，Ｓ１４がポケット１０からはみ出すように、心電図モニタ送信機Ｓ０を挿入した場合、リード線Ｌ１〜Ｌ５がポケット１０に挿入されないので、リード線Ｌ１〜Ｌ５と心電図モニタ送信機Ｓ０との接続状態を容易に確認することができる。更に、コネクタＳ１３，Ｓ１４が腹部開口部３Ａからはみ出す場合、リード線Ｌ１〜Ｌ５が下衣本体６によって隠されないので、リード線Ｌ１〜Ｌ５と心電図モニタ送信機Ｓ０との接続状態を一層容易に確認することができる。
【００３８】
［２．他の実施形態］
以上、本開示を実施するための形態について説明したが、本開示は上述の実施形態に限定されることなく、種々変形して実施することができる。
【００３９】
（２Ａ）前記実施形態では、下衣１は一対の第２筒状部４，５を備えたズボン状に構成されたが、これに限定されるものではない。例えば、スカートのように、第１筒状部と第２筒状部が一連の筒状部として構成され、第２筒状部には着用者の左右両脚が挿通される形態の下衣であってもよい。そして、その場合、ポケットは第２筒状部にかかっていてもよい。
【００４０】
（２Ｂ）前記実施形態では、縫い目Ｎ１３と縫い目Ｎ１４との間に非縫着部を設けたがこれに限定されるものではない。縫い目Ｎ１３と縫い目Ｎ１４とは連続した縫い目として形成されてもよい。
【００４１】
（２Ｃ）前記実施形態では、下衣本体６にメッシュ１１を逢着することによってポケット１０を形成したが、これに限定されるものではない。例えば、下衣本体６に布を逢着することによってポケット１０を形成してもよく、メッシュ又は布を下衣本体６に熱によって接着することによってポケット１０を形成してもよく、予め形成された袋体を下衣本体６に縫着することによってポケット１０を形成してもよい。
【００４２】
（２Ｄ）前記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、前記実施形態の構成の一部を省略してもよい。また、前記実施形態の構成の少なくとも一部を、他の前記実施形態の構成に対して付加又は置換してもよい。なお、特許請求の範囲に記載した文言によって特定される技術思想に含まれるあらゆる態様が本開示の実施形態である。
【符号の説明】
【００４３】
１…下衣                ３…第１筒状部      ３Ａ…腹部開口部
４，５…第２筒状部      ６…下衣本体        ７…弾性体
９…陰茎開口部          １０…ポケット      １１…メッシュ
Ｎ１，Ｎ２，Ｎ３，Ｎ４，Ｎ１１，Ｎ１２，Ｎ１３，Ｎ１４…縫い目
Ｓ０…心電図モニタ送信機          Ｓ１３，Ｓ１４…コネクタ
３…第１筒状部、
【図１】
2020022682.tif 000003
【図２】
2020022682.tif 000004
【図３】
2020022682.tif 000005